(57)【要約】【課題】パック開封時において、先端部分の非接着部の密接状態を容易に分離し、非接着部を容易に把持し、手指の力に頼らず簡単な作業で開封し、内蔵物の付着や飛散を防止すること。【解決手段】パックＡ１１０と内蔵物を入れたパックＢ１２０を接着して密閉し、かつ非接着部Ａ１１１を持つパック１００を、軸２３０を支点に取手Ａ２１２と取手Ｂ２２２を近接して、挟板Ａ２１１と挟板Ｂ２２１で非接着部Ａ１１１を挟み、引っ張ってパックＡ１１０とパックＢ１２０を離間し開封する。また接触板２１４にパックＡ１１０を接触させて開封する。【選択図】図２
2011042402.tif 000002
【特許請求の範囲】
【請求項１】
蓋を形成するパックＡ１１０と、内蔵物を入れたパックＢ１２０とが、接着部１３０で接着され密閉されており、かつ接着されていない非接着部Ａ１１１を有するパック１００を開封するパック開封装置であって、
挟みＡ２１０と、挟みＢ２２０と、軸２３０からなり、
前記軸２３０を支点として、前記挟みＡ２１０の取手Ａ２１２と、前記挟みＢ２２０の取手Ｂ２２２とを回転させることにより近接させて、前記挟みＡ２１０の挟板Ａ２１１と、前記挟みＢ２２０の挟板Ｂ２２１とを接合して、前記非接着部Ａ１１１を間に挟んで引っ張ることで、該パックＡ１１０と、該パックＢ１２０とを離間させて開封することを特徴とするパック開封装置。
【請求項２】
前記パックＡ１１０を、接触板２１４に接触させて開封することを特徴とする請求項１に記載のパック開封装置。
【請求項３】
食器類、もしくは、装飾品や生活用具などの器具と接続したことを特徴とする請求項１または請求項２に記載のパック開封装置。
【発明の詳細な説明】
【技術分野】
【０００１】本発明は、パックを開封する方法及び構造と、パックの非接着部を把持する方法及び構造と、持ちやすい構造と、開封時に内蔵物の付着や飛散を防止する方法及び構造と、他の器具と接続する構の技術に関するものである。
【背景技術】
【０００２】従来の一般的なパックの開封方法は以下の通りである。
パック先端部の密接した非接着部Ａと非接着部Ｂを手指で分離する。
パックＢを片手で保持する。
非接着部Ａを他方の第１手指と第２手指で摘む。
非接着部Ａを引っ張り、パックＢからパックＡを分離して開封する。【０００３】この方法では、非接着部Ａと非接着部Ｂが密接している場合、パックを開封するためには非接着部Ａと非接着部Ｂを手指で分離する必要があった。
非接着部Ａが小さい場合、非接着部Ａを第１手指と第２手指で摘むことは困難であった。
非接着部Ａを手指で引っ張るとき、手指の力が必要であった。特に接着部１３０の接着力が強力な場合、非接着部Ａ摘む手指が滑り開封できないことがあった。
開封時に内蔵物が手指に付着、または飛散することがあった。
つまりパックを手指で開封する場合、非接着部Ａの分離作業や把持作業が困難で、手指に力を要し、内蔵物の付着や飛散が起こる問題があった。
【先行技術文献】
【特許文献】
【０００４】以下に特許文献による従来技術に関して述べる。
例えば特開２００８−０４３５２２は、パックを圧迫しつつ回転し巻き取って開封する構造で、圧迫することでパックを挟む力を最小限にしている。
そのため、引っ張って開封することはできない。本発明は、梃子の原理を使用し、パックを圧迫することなく、小さな力でパックを引っ張って開封する開封具である。
また特開２００４−１７５４４５は、一度開封したパックの開封口に取り付ける開封口用の密閉具で、再度開閉することを目的とし、初回を開封するための道具ではない。本発明は、未開封状態のパックを開封する開封具である。
更に特開２００３−０１２０３４は、包装体にミシン目を入れて開封するもので、開封する道具ではない。
最後に特開平０６−２２７５２７は、用紙パックにおいて、パック開封ローラーで包装シートのみ巻き取り、内部の用紙をパック開封ローラーで押えて残存させて開封する構造で、内蔵物が液体・ゼリー状の軟性体を残存させることはできない。本発明は、パックを離間し開封するもので、内蔵物に関わらず開封できる。【０００５】以上よりパックを開封する方法及び構造として従来技術には問題点があり、パックを開封する道具としては不十分であることが分かる。
【特許文献１】特開２００８−０４３５２２
【特許文献２】特開２００４−１７５４４５
【特許文献３】特開２００３−０１２０３４
【特許文献４】特開平０６−２２７５２７
【発明の概要】
【発明が解決しようとする課題】
【０００６】本発明が解決しようとする課題及び目的を以下に示す。
非接着部Ａと非接着部Ｂの密接状態を容易に分離すること。
非接着部Ａを容易に把持すること。
手指より力の入れやすい方法で開封すること。
簡単な作業で開封すること。
内蔵物の付着や飛散を防止すること。
【課題を解決するための手段】
【０００７】本発明は上記課題を解決するために、軸を支点として取手Ａと取手Ｂを近接させて挟板Ａに挟板Ｂを接合し、非接着部Ａを挟んで引っ張ることで、パックＡとパックＢを離間させて開封する手段を有したものである。
また、パックＡを接触板に接触させて開封する手段を有したものである。
【発明の効果】
【０００８】以下に本発明の効果を示す。
非接着部Ａと非接着部Ｂの接着部を分離し、非接着部Ａを容易に把持し、小さな力及び簡単な作業で開封し、内蔵物の付着や飛散を防止する。
【図面の簡単な説明】
【０００９】
【図１】パックの概略斜視図である。
【図２】開封具の概略斜視図である。
【図３】パックを引っ張って開封する方法を示した図である。
【図４】パックを接触させながら開封する方法を示した図である。
【図５】クランプ式開封具の概略斜視図である。
【図６】指先で取手を把持する開封具の概略斜視図である。
【図７】ガードを手指で把持する開封具の概略斜視図である。
【図８】器具に付属した開封具の概略斜視図である。
【発明を実施するための形態】
【００１０】以下に本発明の好適な実施例を図面に基づいて説明する。
【実施例】
【００１１】図１より開封可能なパック１００は、パックＡ１１０と内蔵物を入れたパックＢ１２０を接着部１３０で接着して密閉し、パックＡ１１０に接着していない非接着部Ａ１１１を持つ構造である。【００１２】図２より本発明の開封具２００は、挟みＡ２１０と、挟みＢ２２０と、軸２３０からなる。
挟みＡ２１０は、非接着部Ａ１１１を挟む挟板Ａ２１１と、手指で握る取手Ａ２１２と、可動域を制限する止め具Ａ２１３と、第１指以外の手指を保持し安定して開封具２００を持つためまたはパックＡ１１０を接触させる接触板２１４と、非接着部Ａ１１１と非接着部Ｂ１２１の分離及び非接着部Ａ１１１を固定する固定具Ａ２１５からなる。
挟みＢ２２０は、非接着部Ａ１１１を挟む挟板Ｂ２２１と、手指で握る取手Ａ２２２と、可動域を制限する止め具Ｂ２２３と、第１指を保持し安定して開封具２００を持つためのガード２２４と、非接着部Ａ１１１を固定する固定具Ｂ２２５からなる。
軸２３０は、挟みＡ２１０と挟みＢ２２０の支点である。【００１３】図３よりパック１００を引っ張って開封する方法を説明する。
第１指以外の手指で取手Ａ２１２を把持し、第１指で取手Ｂ２２２を把持し、開封具２００を手で持つ。
非接着部Ａ１１１と非接着部Ｂ１２１が密接状態にある場合は、挟板Ａ２１１で非接着部Ａ１１１のエッジ部分を引っ掛けるまたは非接着部Ａ１１１を擦り、非接着部Ｂ１２１から非接着部Ａ１１１を分離する。
非接着部Ａ１１１を挟板Ａ２１１と挟板Ｂ２２１の間に挿入する。
取手Ａ２１２と取手Ｂ２２２を握って近接し、挟板Ａ２１１の内面に挟板Ｂ２２１の先端を接合して非接着部Ａ１１１を挟む。この時、固定具Ａ２１５と固定具Ｂ２２５が非接着部Ａ１１１を圧迫し固定する。
開封具２００を接着部１３０の面と平行方向に引っ張って移動し、パックＡ１１０とパックＢ１２０を離間し、パック１００を開封する。
開封後は取手Ａ２１２と取手Ｂ２２２を離間し、挟板Ａ２１１と挟板Ｂ２２１の間に挿入した非接着部Ａ１１１を取り除く。【００１４】挟板Ａ２１１と挟板Ｂ２２１を接合して非接着部Ａ１１１を挟む構造は、挟板Ａ２１１と挟板Ｂ２２１が対称構造または共に先端部分が接触する形状でも良いが、挟板Ｂ２２１より挟板Ａ２１１を短くし、挟板Ａ２１１の内面に挟板Ｂ２２１の先端が接合して非接着部Ａ１１１を挟むことで非接着部Ａ１１１を引っ張ることで、非接着部Ａ１１１は板Ａ２１１の内面と挟板Ｂ２２１の先端による固定力だけでなく、接合挟板Ｂ２２１の先端から挟板Ａ２１１の先端まで接触及び挟板Ａ２１１の先端での屈曲による摩擦力を生じ、非接着部Ａ１１１の滑りを防止する。【００１５】これより開封具２００を使用しパックＡ１１０を引っ張って開封することで、非接着部Ａ１１１と非接着部Ｂ１２１の密着状態を容易に分離し、握力または固定具Ａ２１５と固定具Ｂ２２５の固定力及び摩擦力を利用して引っ張る作業で開封し、内蔵物の付着を防止する。
また開封時にパックＡ１１０を引っ張る力ａとパックＢ１２０を保持する力ｂは互いに反対方向に作用するが、開封具２００を持つ手が安定している、つまり力ａの方向にブレが生じにくく安定しているため、内蔵物の飛散を抑制する。【００１６】図４よりパック１００を接触させながら開封する方法を説明する。
第１指以外の手指で取手Ａ２１２を把持し、第１指で取手Ｂ２２２を把持し、開封具２００を手で持つ。
非接着部Ａ１１１と非接着部Ｂ１２１が密接状態にある場合は、挟板Ａ２１１で非接着部Ａ１１１のエッジ部分を引っ掛けるまたは非接着部Ａ１１１を擦り、非接着部Ｂ１２１から非接着部Ａ１１１を分離する。
非接着部Ａ１１１を挟板Ａ２１１と挟板Ｂ２２１の間に挿入する。
取手Ａ２１２と取手Ｂ２２２を握って近接し、挟板Ａ２１１の内面に挟板Ｂ２２１の先端を接合して非接着部Ａ１１１を挟む。この時、固定具Ａ２１５と固定具Ｂ２２５が非接着部Ａ１１１を圧迫し固定する。
接触板２１４をパックＡ１１０に接触させながら開封具２００を接着部１３０の面と平行方向に回転して引っ張って移動し、パックＡ１１０とパックＢ１２０を離間し、パック１００を開封する。
開封後は取手Ａ２１２と取手Ｂ２２２を離間し、挟板Ａ２１１と挟板Ｂ２２１の間に挿入した非接着部Ａ１１１を取り除く。【００１７】これより開封具２００を使用しパックＡ１１０を接触させながら開封することで、非接着部Ａ１１１と非接着部Ｂ１２１の密着状態を容易に分離し、握力または固定具Ａ２１５と固定具Ｂ２２５の固定力及び摩擦力を利用して回転と引っ張る作業で開封し、内蔵物の付着を防止する。
また開封時にパックＡ１１０を引っ張る力ａとパックＢ１２０を保持する力ｂは互いに向き合う方向に作用するため、パック１００は常に力が釣り合っている状態、つまり安定状態にあり、内蔵物の飛散を防止する。【００１８】図５はクランプ式の開封具２００である。
取手Ａ２１２に取手Ｂ２２２を近接もしくは取手Ａ２１２を動かすと、挟板Ａ２１１と挟板Ｂ２２１は接合し、非接着部Ａ１１１を間に挟んで固定する。接触板２１４をパックＡ１１０に接触させながら開封具２００を接着部１３０の面と平行方向に回転して引っ張って移動し、パックＡ１１０とパックＢ１２０を離間し、パック１００を開封する。【００１９】図６は指先で取手Ａ２１２と取手Ｂ２２２を把持する開封具２００である。
この構造は小型化できる。軸２３０から挟板Ａ２１１または挟板Ｂ２２１までの距離より、軸２３０から取手Ａ２１２及び取手Ｂ２２２の把持する位置までの距離の方を長くでき、梃子の原理で取手を握る力を小さくできる。パック１００の開封方法は図３または図４と同様である。【００２０】図７は接触板２１４を手指で把持する開封具２００である。
例えば第３から５手指を接触板２１４の中に挿入し、第２手指を接触板２１４の外に配置し、接触板２１４の一部を第２手指と第３手指で挟み、取手Ａ２１２を把持する。
これより開封具２００は傾けても落下せず、安定した状態で開封具２００を把持できる。
また、挟板Ａ２１１に固定具Ａ２１５の穴を開け、挟板Ｂ２２１の先端に固定具Ｂ２２５のフックを設け、挟板Ａ２１１と挟板Ｂ２２１の間に非接着部Ａ１１１を挿入して挟板Ａ２１１と挟板Ｂ２２１を接合し、固定具Ａ２１５に固定具Ｂ２２５を引っ掛けて、非接着部Ａ１１１を挟んで固定する。パック１００の開封方法は図３または図４と同様である。【００２１】図８は器具に付属した開封具２００である。
器具をスプーンとした場合の使用例を説明する。
固定具Ａ２１５と固定具Ｂ２２５の一体化した固定具を、軸２３０から挟板Ａ２１１または挟板Ｂ２２１方向に移動して、取手Ａ２１２と取手Ｂ２２２を近接し、挟板Ａ２１１と挟板Ｂ２２１を接合して、非接着部Ａ１１１を挟板Ａ２１１と挟板Ｂ２２１の間に挟んで固定する。
固定具Ａ２１５と固定具Ｂ２２５の一体化した固定具は使用せずに、取手Ａ２１２と取手Ｂ２２２を握って近接しても良い。
また、挟板Ａ２１１と挟板Ｂ２２１は、非接着部Ａ１１１を間に挟んで固定するだけでなく、レモンなどを摘んでコップなどに入れることもできる。
器具をバターナイフとした場合もパック１００の開封方法は同様である。
但しパック１００が袋状のものの場合、挟板Ａ２１１と挟板Ｂ２２１で袋を摘んで開封することもできる。
器具とはスプーン、フォーク、ナイフ、箸、棒、栓抜き、缶切り、皿、コップなどの食器類は勿論、装飾品、生活用具などで、複数の器具と接続した構造であっても良い。【００２２】図９より器具に付属した開封具２００で、パック１００を接触させながら開封する方法を説明する。
非接着部Ａ１１１を挟板Ａ２１１と挟板Ｂ２２１の間に挿入する。
固定具Ａ２１５と固定具Ｂ２２５の一体化した固定具を、挟板Ａ２１１及び挟板Ｂ２２１方向に移動して、挟板Ｂ２２１の内面に挟板Ａ２１１の先端を接合し、非接着部Ａ１１１を挟んで固定する。
接触板２１４をパックＡ１１０に接触させながら開封具２００を接着部１３０の面と平行方向に回転して引っ張って移動し、パックＡ１１０とパックＢ１２０を離間し、パック１００を開封する。
開封後は固定具Ａ２１５と固定具Ｂ２２５の一体化した固定具を、挟板Ａ２１１及び挟板Ｂ２２１から軸２３０方向に移動して、挟板Ａ２１１と挟板Ｂ２２１を離間し、挟板Ａ２１１と挟板Ｂ２２１の間に挿入した非接着部Ａ１１１を取り除く。
パック１００を引っ張って開封する方法は図３と同様である。
また、固定具Ａ２１５と固定具Ｂ２２５の一体化した固定具を使用せず、取手Ａ２１２と取手Ｂ２２２を握って近接し、開封しても良い。【００２３】以下に本発明の応用例を示す。
パック１００は、単数だけでなく、複数一度に開封しても良い。
非接着部Ａ１１１と非接着部Ｂ１２１は、分離状態は勿論、非接着部Ｂ１２１がないもの、非接着部Ａ１１１と非接着部Ｂ１２１は接着しているがパックＢ１２０から非接着部Ｂ１２１が分離する構造であっても良い。
接触板２１４は、手指を保持及び保護し安定して開封具２００を持つためのガードやホルダーとしても良い。
挟みＡ２１０と挟みＢ２２０は、左右非対称の形状は勿論、左右対称の同形状であっても良い。
挟板Ａ２１１の内面に挟板Ｂ２２１の先端を接合する構造は勿論、挟板Ｂ２２１の内面に挟板Ａ２１１の先端を接合させる構造であっても良い。
固定具Ａ２１５と固定具Ｂ２２５は、ゴム、粘着材、吸盤などで滑りを防止するものは勿論、凹凸、フック、磁石などで固定する構造でも良い。
軸２３０は、ネジ式は勿論、バネ、フック、磁石、粘着、弾性体などでも良い。【００２４】開封具２００はパック１００を開封するだけでなく、物を摘むこともできる。摘む物とは、非接着部Ａ１１１及びパック１００は勿論、レモンなどの食料品、バターやマーガリンを入れた袋など、挟んで摘むことのできる物全般を言う。
開封具２００を２つ使用して両手にそれぞれ持ち、非接着部Ａ１１１を一方の開封具２００で把持し、非接着部Ｂ１２１を他方の開封具２００で把持し、互いに反対方向に引っ張って開封しても良い。
【産業上の利用可能性】
【００２５】以上の説明では主として本発明者によってなされた発明を、２つのパックを接着したパック１００に適用した場合について述べたが、この発明はそれに限定されるものではなく、３つ以上のパックで構成したもの、袋や箱などの形状のものなど、摘むことまたは摘んで引っ張ることが可能なもの全般に利用できる。
【符号の説明】
【００２６】１００・・・パック
１１０・・・パックＡ
１１１・・・非接着部Ａ
１２０・・・パックＢ
１２１・・・非接着部Ｂ
１３０・・・接着部
２００・・・開封具
２１０・・・挟みＡ
２１１・・・挟板Ａ
２１２・・・取手Ａ
２１３・・・止め具Ａ
２１４・・・接触板
２１５・・・固定具Ａ
２２０・・・挟みＢ
２２１・・・挟板Ｂ
２２２・・・取手Ｂ
２２３・・・止め具Ｂ
２２４・・・ガード
２２５・・・固定具Ｂ
２３０・・・軸
【図１】
2011042402.tif 000003
【図２】
2011042402.tif 000004
【図３】
2011042402.tif 000005
【図４】
2011042402.tif 000006
【図５】
2011042402.tif 000007
【図６】
2011042402.tif 000008
【図７】
2011042402.tif 000009
【図８】
2011042402.tif 000010
【図９】
2011042402.tif 000011
【手続補正書】
【提出日】平成21年12月16日(2009.12.16)
【手続補正１】
【補正対象書類名】明細書
【補正対象項目名】０００９
【補正方法】変更
【補正の内容】
【０００９】
【図１】パックの概略斜視図である。
【図２】開封具の概略斜視図である。
【図３】パックを引っ張って開封する方法を示した図である。
【図４】パックを接触させながら開封する方法を示した図である。
【図５】クランプ式開封具の概略斜視図である。
【図６】指先で取手を把持する開封具の概略斜視図である。
【図７】ガードを手指で把持する開封具の概略斜視図である。
【図８】器具に付属した開封具の概略斜視図である。
【図９】器具に付属した開封具による開封方法を示した図である。